(57)【要約】【課題】セキュリティを低下させることなく、アカウントを有しないユーザへのデータの提供を従来よりも容易に行う。【解決手段】端末装置２Ｒは、端末装置２ＡのＩＰアドレスを端末装置２Ａから取得し、取得したＩＰアドレスを画像形成装置１へ通知する。さらに、送信の対象であるデータを画像形成装置１に対して指定する。画像形成装置１は、端末装置２Ｒから通知されたＩＰアドレスに基づいて、指定されたデータを端末装置２Ａへ送信する。【選択図】図１
2016189150.tif 000002
【特許請求の範囲】
【請求項１】
１つまたは複数のデータを管理するサーバと前記サーバへアクセスすることができる第一の端末装置とを有し、前記１つまたは複数のデータのうちのいずれかを第二の端末装置へ提供するデータ提供システムであって、
前記第一の端末装置に、
前記第二の端末装置から、当該第二の端末装置の識別子を受信する受信手段と、
前記識別子を前記サーバへ通知する通知手段と、
が設けられ、
前記サーバに、
前記第一の端末装置から通知された前記識別子に基づいて前記１つまたは複数のデータのうちのいずれかを前記第二の端末装置へ送信する送信手段、
が設けられる、
ことを特徴とするデータ提供システム。
【請求項２】
前記受信手段は、近距離無線通信のためのペアリングを前記第二の端末装置との間で行った後、当該近距離無線通信によって前記識別子を受信し、
前記通知手段は、前記ペアリングを前記サーバとの間で行った後、前記近距離無線通信によって前記識別子を通知し、
前記送信手段は、前記近距離無線通信以外の通信によって前記１つまたは複数のデータのうちのいずれかを送信する、
請求項１に記載のデータ提供システム。
【請求項３】
前記第一の端末装置に、
前記１つまたは複数のデータのうちのユーザによって選択された選択データを前記サーバへ通知する第二の通知手段、
が設けられ、
前記送信手段は、通知された前記選択データを送信する、
請求項１または請求項２に記載のデータ提供システム。
【請求項４】
前記受信手段は、前記第二の端末装置が複数台ある場合に、当該複数台の第二の端末装置それぞれから前記識別子を受信し、
前記通知手段は、前記複数台の第二の端末装置それぞれの前記識別子を通知し、
前記送信手段は、前記選択データを前記複数台の第二の端末装置それぞれへ送信する、
請求項３に記載のデータ提供システム。
【請求項５】
前記受信手段は、さらにキーワードを前記第二の端末装置から受信し、
前記通知手段は、さらに前記キーワードを前記サーバへ通知し、
前記送信手段は、前記第二の端末装置が前記サーバを認証するために、前記キーワードをさらに送信する、
請求項１ないし請求項４のいずれかに記載のデータ提供システム。
【請求項６】
前記受信手段は、さらに保存場所を前記第二の端末装置から受信し、
前記通知手段は、さらに前記保存場所を前記サーバへ通知し、
前記送信手段は、さらに、前記保存場所を、前記第二の端末装置が当該保存場所に前記１つまたは複数のデータのいずれかを保存するために、送信する、
請求項１ないし請求項５のいずれかに記載のデータ提供システム。
【請求項７】
前記サーバに、
用紙から画像を読み取る読取手段と、
前記読取手段によって読み取られた前記画像の画像データを記憶する記憶手段と、
が設けられ、
前記送信手段は、前記１つまたは複数のデータのうちのいずれかとして前記画像データを送信する、
請求項１ないし請求項６のいずれかに記載のデータ提供システム。
【請求項８】
データを管理するサーバであって、
第一の端末装置から、第二の端末装置の識別子を受信する受信手段と、
前記受信手段によって受信した前記識別子に基づいて前記データを前記第二の端末装置へ送信する送信手段と、
を有することを特徴とするサーバ。
【請求項９】
サーバで管理されているデータを端末装置へ提供するための仲介を行う仲介装置であって、
前記第二の端末装置から、当該第二の端末装置の識別子を受信する受信手段と、
前記データの送信先として前記識別子を前記サーバへ通知する通知手段と、
を有することを特徴とする仲介装置。
【請求項１０】
サーバで管理されているデータを受信する端末装置であって、
前記サーバへアクセスすることができる仲介装置へ、当該端末装置の識別子を通知する通知手段と、
前記識別子に基づいて前記サーバから送信されてきたデータを受信する受信手段と、
を有することを特徴とする端末装置。
【請求項１１】
サーバで管理されているデータを端末装置へ提供するデータ提供方法であって、
前記端末装置の識別子を当該端末装置から受信する処理を、前記サーバへアクセスすることができる仲介装置に実行させ、
前記識別子を前記サーバへ通知する処理を前記仲介装置に実行させ、
前記仲介装置から通知された前記識別子に基づいて前記データを前記端末装置へ送信する処理を前記サーバに実行させる、
ことを特徴とするデータ提供方法。
【請求項１２】
データを管理するサーバに用いられるコンピュータプログラムであって、
前記サーバに、
第一の端末装置から、第二の端末装置の識別子を受信する処理と、
前記受信手段によって受信した前記識別子に基づいて前記データを前記第二の端末装置へ送信する処理と、
を実行させることを特徴とするコンピュータプログラム。
【請求項１３】
サーバで管理されているデータを端末装置へ提供するための仲介を行う仲介装置に用いられるコンピュータプログラムであって、
前記仲介装置に、
前記第二の端末装置から、当該第二の端末装置の識別子を受信する処理と、
前記データの送信先として前記識別子を前記サーバへ通知する処理と、
を実行させることを特徴とするコンピュータプログラム。
【請求項１４】
サーバで管理されているデータを受信する端末装置に用いられるコンピュータプログラムであって、
前記端末装置に、
前記サーバへアクセスすることができる仲介装置へ、当該端末装置の識別子を通知する処理と、
前記識別子に基づいて前記サーバから送信されてきたデータを受信する処理と、
を実行させることを特徴とするコンピュータプログラム。
【発明の詳細な説明】
【技術分野】
【０００１】
本発明は、サーバに保存されているデータの提供の技術に関する。
【背景技術】
【０００２】
コピー、スキャン、ファックス、ＰＣプリント、ファイル転送、および電子メールなどの機能を備えた画像形成装置が普及している。このような多機能な画像形成装置は、一般に、「ＭＦＰ（Multi Function Peripherals）」または「複合機」などと呼ばれている。
【０００３】
また、画像形成装置を、端末装置を介して使用する技術が提案されている。特許文献１に記載される画像形成装置は、端末装置にて予め設定され、用紙に形成する画像の形成条件の情報を含む画像形成情報を端末装置よりＮＦＣにて取得する無線モジュールと、無線モジュールにより取得された画像形成情報を基に用紙に画像の形成を行なう画像記録手段と、無線モジュールにより取得された画像形成情報を基に画像記録手段にて画像の形成を行う対価を算出する対価算出部と、を備える。
【０００４】
特許文献２に記載されるシステムは、利用者端末が送信した電子メールに基づく印刷を行う印刷システムであって、自身に割り当てられた電子メールアドレスを示す情報を記録し、非接触通信により利用者端末に電子メールアドレスを提供する記録媒体と、電子メールアドレスが宛先に設定されて送信された電子メールに対応する印刷データに基づいて印刷を実行する印刷制御手段と、を有するプリンターを含む。
【０００５】
さらに、近年、画像形成装置に「ボックス機能」などと呼ばれるドキュメントサーバの機能が備えられるようになった。この機能によると、「ボックス」または「パーソナルボックス」などと呼ばれる記憶領域にドキュメントなどのデータを保存しておき、これらのデータを必要に応じて端末装置へ提供する。これにより、複数台の端末装置がドキュメントを共有することができる。
【０００６】
ドキュメントなどのコンテンツを共有する方法として、次のような方法が提案されている。
【０００７】
ある情報端末がアプリケーション・ウィンドウにコンテンツを表示する。ユーザは、この情報端末に対して現在表示しているコンテンツの表示に影響与えないワンアクション操作をする。ワンアクション操作に応答してこの端末装置が現在表示しているコンテンツを表示するための共有情報を、ネットワークを通じて他の情報端末のいずれかまたはすべてに送信する。他の情報端末は、共有情報の受信に応答してそれに対応するコンテンツを表示する（特許文献３）。
【先行技術文献】
【特許文献】
【０００８】
【特許文献１】特開２０１４−２２６８５８号公報
【特許文献２】特開２０１４−１４２８１５号公報
【特許文献３】特開２０１４−１６８５０号公報
【発明の概要】
【発明が解決しようとする課題】
【０００９】
従来、画像形成装置に保存されているデータを端末装置が取得するには、端末装置が画像形成装置へアクセスしなければならない。そのためには、画像形成装置へアクセスするための情報、例えば、画像形成装置のＩＰアドレスを端末装置のユーザに予め知らせなければならない。しかし、セキュリティの向上のために、このような情報を知らせないほうが好ましい場合がある。例えば、ユーザが、画像形成装置が設置されている組織に所属していない場合である。
【００１０】
また、ユーザのアカウントを予め画像形成装置へ登録しておかなければならない場合もある。アカウントごとに詳細にアクセス権を設定すれば、セキュリティを向上させることができる。しかし、設定の作業は、管理者にとって負担になる。
【００１１】
本発明は、このような問題点に鑑み、セキュリティを低下させることなく、アカウントを有しないユーザへのデータの提供を従来よりも容易に行うことを、目的とする。
【課題を解決するための手段】
【００１２】
本発明の一形態に係るデータ提供システムは、１つまたは複数のデータを管理するサーバと前記サーバへアクセスすることができる第一の端末装置とを有し、前記１つまたは複数のデータのうちのいずれかを第二の端末装置へ提供するデータ提供システムであって、前記第一の端末装置に、前記第二の端末装置から、当該第二の端末装置の識別子を受信する受信手段と、前記識別子を前記サーバへ通知する通知手段と、が設けられ、前記サーバに、前記第一の端末装置から通知された前記識別子に基づいて前記１つまたは複数のデータのうちのいずれかを前記第二の端末装置へ送信する送信手段、が設けられる。
【００１３】
好ましくは、前記受信手段は、近距離無線通信のためのペアリングを前記第二の端末装置との間で行った後、当該近距離無線通信によって前記識別子を受信し、前記通知手段は、前記ペアリングを前記サーバとの間で行った後、前記近距離無線通信によって前記識別子を通知し、前記送信手段は、前記近距離無線通信以外の通信によって前記１つまたは複数のデータのうちのいずれかを送信する。
【００１４】
または、前記第一の端末装置に、前記１つまたは複数のデータのうちのユーザによって選択された選択データを前記サーバへ通知する第二の通知手段、が設けられ、前記送信手段は、通知された前記選択データを送信する。
【００１５】
または、前記受信手段は、前記第二の端末装置が複数台ある場合に、当該複数台の第二の端末装置それぞれから前記識別子を受信し、前記通知手段は、前記複数台の第二の端末装置それぞれの前記識別子を通知し、前記送信手段は、前記選択データを前記複数台の第二の端末装置それぞれへ送信する。
【００１６】
または、前記受信手段は、さらにキーワードを前記第二の端末装置から受信し、前記通知手段は、さらに前記キーワードを前記サーバへ通知し、前記送信手段は、前記第二の端末装置が前記サーバを認証するために、前記キーワードをさらに送信する。
【００１７】
または、前記受信手段は、さらに保存場所を前記第二の端末装置から受信し、前記通知手段は、さらに前記保存場所を前記サーバへ通知し、前記送信手段は、さらに、前記保存場所を、前記第二の端末装置が当該保存場所に前記１つまたは複数のデータのいずれかを保存するために、送信する。
【００１８】
または、前記サーバに、用紙から画像を読み取る読取手段と、前記読取手段によって読み取られた前記画像の画像データを記憶する記憶手段と、が設けられ、前記送信手段は、前記１つまたは複数のデータのうちのいずれかとして前記画像データを送信する。
【発明の効果】
【００１９】
本発明によると、セキュリティを低下させることなく、アカウントを有しないユーザへのデータの提供を従来よりも容易に行うことができる。
【図面の簡単な説明】
【００２０】
【図１】ドキュメント閲覧システムの全体的な構成の例を示す図である。
【図２】画像形成装置のハードウェア構成の例を示す図である。
【図３】端末装置のハードウェア構成の例を示す図である。
【図４】画像形成装置の機能的構成の例を示す図である。
【図５】端末装置の機能的構成の例を示す図である。
【図６】画像形成装置および端末装置の処理の流れの例を説明するシーケンス図である。
【図７】画像形成装置および端末装置の処理の流れの例を説明するシーケンス図である。
【図８】ペアリング用画面の例を示す図である。
【図９】入力用画面の例を示す図である。
【図１０】送信要求画面の例を示す図である。
【図１１】選択用画面の例を示す図である。
【図１２】画像形成装置の全体的な処理の流れの例を説明するフローチャートである。
【図１３】端末装置の全体的な処理の流れの例を説明するフローチャートである。
【図１４】端末装置の全体的な処理の流れの例を説明するフローチャートである。
【図１５】ホーム画面の例を示す図である。
【発明を実施するための形態】
【００２１】
図１は、ドキュメント閲覧システム４の全体的な構成の例を示す図である。図２は、画像形成装置１のハードウェア構成の例を示す図である。図３は、端末装置２のハードウェア構成の例を示す図である。
【００２２】
図１に示すように、ドキュメント閲覧システム４は、画像形成装置１、複数台の端末装置２、および通信回線３などによって構成される。
【００２３】
画像形成装置１および各端末装置２は、通信回線３を介して通信することができる。通信回線３として、インターネット、いわゆるＬＡＮ（Local Area Network）回線、携帯電話網、または専用線などが用いられる。これらの通信回線の代わりに、Ｂｌｕｅｔｏｏｔｈ（登録商標）またはＩｒＤＡ（Infrared Data Association）などのＮＦＣ（Near field communication）の規格に基づいて通信することもできる。
【００２４】
画像形成装置１は、コピー、スキャン、ＰＣプリント、ファックス、ファイル転送、電子メール、およびボックスなどの機能を備えた画像処理装置である。「ＭＦＰ（Multi Function Peripherals）」または「複合機」などと呼ばれることもある。
【００２５】
ボックス機能は、ユーザごとに「ボックス」または「パーソナルボックス」などと呼ばれる記憶領域を与えておき、各ユーザが自分の記憶領域によってドキュメントのデータなどを保存し管理するための機能である。つまり、いわゆるドキュメントサーバの機能である。ボックスは、パーソナルコンピュータにおける「フォルダ」または「ディレクトリ」に相当する。
【００２６】
ユーザは、画像形成装置１に自分のユーザアカウントが登録されていれば、ボックスへアクセスしデータを使用することができる。
【００２７】
画像形成装置１は、図２に示すように、ＣＰＵ（Central Processing Unit）１０ａ、ＲＡＭ（Random Access Memory）１０ｂ、ＲＯＭ（Read Only Memory）１０ｃ、補助記憶装置１０ｄ、タッチパネルディスプレイ１０ｅ、操作キーパネル１０ｆ、ＮＩＣ（Network Interface Card）１０ｇ、モデム１０ｈ、近距離通信装置１０ｉ、スキャンユニット１０ｊ、およびプリントユニット１０ｋなどによって構成される。
【００２８】
タッチパネルディスプレイ１０ｅは、ユーザに対するメッセージを示す画面、ユーザがコマンドまたは情報を入力するための画面、およびＣＰＵ１０ａなどが実行した処理の結果を示す画面などを表示する。また、タッチパネルディスプレイ１０ｅは、タッチされた位置を示す信号をＣＰＵ１０ａへ送る。
【００２９】
操作キーパネル１０ｆは、いわゆるハードウェアキーボードであって、テンキー、スタートキー、ストップキー、およびファンクションキーなどによって構成される。
【００３０】
ＮＩＣ１０ｇは、ＴＣＰ／ＩＰ（Transmission Control Protocol/Internet Protocol）などのプロトコルによって端末装置２と通信を行う。
【００３１】
モデム１０ｈは、ファクシミリ端末との間でＧ３などのプロトコルで画像データをやり取りする。
【００３２】
近距離通信装置１０ｉは、ＢｌｕｅｔｏｏｔｈまたはＩｒＤＡなどのＮＦＣ（近距離無線通信）の規格に基づいて端末装置２と通信を行う。以下、Ｂｌｕｅｔｏｏｔｈに基づいて通信を行う場合を例に説明する。
【００３３】
スキャンユニット１０ｊは、セットされた用紙をスキャンすることによって画像データを生成する。
【００３４】
プリントユニット１０ｋは、スキャンユニット１０ｊによって読み取られた画像または他の装置から受信した画像などを用紙に印刷する。
【００３５】
ＲＯＭ１０ｃまたは補助記憶装置１０ｄには、上述のコピーなどの機能を実現するためのプログラムが記憶されている。さらに、ドキュメント管理プログラム１０Ｐが記憶されている。
【００３６】
ドキュメント管理プログラム１０Ｐは、ドキュメントのデータを管理しユーザへ提供するためのプログラムである。しかも、ドキュメント管理プログラム１０Ｐによると、画像形成装置１にユーザアカウントが登録されていないユーザへもドキュメントのデータを提供することができる。この仕組みについては、後述する。以下、画像形成装置１にユーザアカウントが登録されているユーザを「登録ユーザ」と記載し、登録されていないユーザを「非登録ユーザ」と記載する。
【００３７】
これらのプログラムは、必要に応じてＲＡＭ１０ｂにロードされ、ＣＰＵ１０ａによって実行される。補助記憶装置１０ｄとして、ＨＤＤ（Hard Disk Drive）またはＳＳＤ（Solid State Drive）などが用いられる。
【００３８】
さらに、補助記憶装置１０ｄには、複数のボックスが設けられている。各ボックスには、スキャンユニット１０ｊが用紙から画像を読み取ることによって生成された画像データ（画像ファイル）および他の装置から取得されたドキュメントのデータなどが複数、記憶されている。
【００３９】
端末装置２は、画像形成装置１の上述の機能を遠隔的に使用するためのクライアントである。特に本実施形態では、ドキュメントのデータを画像形成装置１から取得するために用いられる。
【００４０】
端末装置２として、スマートフォン、タブレットコンピュータ、携帯電話端末、またはパーソナルコンピュータなどが用いられる。以下、端末装置２としてスマートフォンが使用される場合を例に説明する。各端末装置２を「端末装置２Ａ」、「端末装置２Ｂ」、「端末装置２Ｃ」、…と区別して記載する。
【００４１】
端末装置２は、図３に示すように、ＣＰＵ２０ａ、ＲＡＭ２０ｂ、ＲＯＭ２０ｃ、フラッシュメモリ２０ｄ、タッチパネルディスプレイ２０ｅ、操作ボタン群２０ｆ、無線ＬＡＮ通信装置２０ｇ、携帯電話通信装置２０ｈ、および近距離通信装置２０ｉなどによって構成される。
【００４２】
タッチパネルディスプレイ２０ｅは、ユーザに対してメッセージを与えるための画面、印刷のプレビューのための画面、またはユーザが指示を入力するための画面などを表示する。また、タッチパネルディスプレイ２０ｅは、タッチされた位置を検知し、ＣＰＵ２０ａにその位置を通知する。
【００４３】
操作ボタン群２０ｆは、いわゆるホーム画面に戻るためのボタン、音量を調整するためのボタン、および電源のオン／オフを切り換えるためのボタンなどによって構成される。
【００４４】
無線ＬＡＮ通信装置２０ｇは、無線ＬＡＮの規格、つまり、ＩＥＥＥ（Institute of Electrical and Electronics Engineers）８０２．１１の規格に基づいて通信を行う。
【００４５】
携帯電話通信装置２０ｈは、ＣＤＭＡ（Code Division Multiple Access）２０００、Ｗ−ＣＤＭＡ（Wideband-CDMA）、またはＬＴＥ（Long Term Evolution）などの規格に基づいて携帯電話網を介して通信を行う。
【００４６】
近距離通信装置２０ｉは、Ｂｌｕｅｔｏｏｔｈによって画像形成装置１または他の端末装置２と通信を行う。
【００４７】
ＲＯＭ２０ｃまたはフラッシュメモリ２０ｄには、端末装置２のオペレーティングシステムのほか、ドキュメント取得プログラム２０Ｐが記憶されている。これらのプログラムは、必要に応じてＲＡＭ２０ｂにロードされ、ＣＰＵ２０ａによって実行される。
【００４８】
ドキュメント取得プログラム２０Ｐは、画像形成装置１からドキュメントのデータを取得するためのプログラムである。しかも、ドキュメント取得プログラム２０Ｐによると、非登録ユーザであっても画像形成装置１からドキュメントのデータを取得することができる。
【００４９】
以下、ドキュメント管理プログラム１０Ｐおよびドキュメント取得プログラム２０Ｐによる、画像形成装置１から端末装置２へのドキュメントのデータの提供の仕組みを、図４〜図１１を参照しながら説明する。
【００５０】
図４は、画像形成装置１の機能的構成の例を示す図である。図５は、端末装置２の機能的構成の例を示す図である。図６および図７は、画像形成装置１および端末装置２Ｒ、２Ａ〜２Ｃの処理の流れの例を説明するシーケンス図である。図８は、ペアリング用画面６０の例を示す図である。図９は、入力用画面６１の例を示す図である。図１０は、送信要求画面６２の例を示す図である。図１１は、選択用画面６３の例を示す図である。
【００５１】
ドキュメント管理プログラム１０Ｐによると、図４に示す接続制御部１０１、個体識別情報受付部１０２、個体識別情報記憶部１０３、ドキュメント選択受付部１０４、送信対象設定部１０５、およびドキュメント送信処理部１０６などの機能が実現される。
【００５２】
ドキュメント取得プログラム２０Ｐによると、図５に示す第一の接続制御部２０１、個体識別情報取得部２０２、第二の接続制御部２０３、個体識別情報転送部２０４、選択受付部２０５、選択結果通知部２０６、第一の保存処理部２０７などの機能が実現される。これらは、登録ユーザの端末装置２として使用される場合に有効になる。
【００５３】
さらに、ドキュメント取得プログラム２０Ｐによると、第三の接続制御部２３１、入力受付部２３２、個体識別情報通知部２３３、暗号キー照合部２３４、および第二の保存処理部２３５などの機能が実現される。これらは、非登録ユーザの端末装置２として使用される場合に有効になる。
【００５４】
以下、図４および図５に示す各機能を、登録ユーザ５ｒが端末装置２Ｒを使用し、非登録ユーザ５ａ、５ｂ、および５ｃがそれぞれ端末装置２Ａ、端末装置２Ｂ、および端末装置２Ｃを使用する場合を例に、図６および図７に示すシーケンス図などを参照しながら説明する。併せて、非登録ユーザ５ａ、５ｂ、５ｃおよび登録ユーザ５ｒによる操作についても説明する。
【００５５】
登録ユーザ５ｒは、ドキュメント取得プログラム２０Ｐを端末装置２Ｒに起動させ、仲介モードに切り換えるコマンドを入力する。仲介モードは、非登録ユーザのためにドキュメントのデータの提供を仲介するモードである。
【００５６】
すると、端末装置２Ｒにおいて、処理のモードが仲介モードに切り換わる（図６の＃５２１）。これにより、図５の第一の接続制御部２０１ないし第一の保存処理部２０７の機能が有効になる。なお、端末装置２Ｒ自身の近距離通信装置２０ｉがオフであれば、オンに切り換える。
【００５７】
一方、非登録ユーザ５ａは、ドキュメント取得プログラム２０Ｐを端末装置２Ａに起動させ、ゲストモードに切り換える。ゲストモードは、登録ユーザの仲介によって非登録ユーザがドキュメントのデータを取得するためのモードである。
【００５８】
すると、端末装置２Ａにおいて、処理のモードがゲストモードに切り換わる（＃５５１）。これにより、第三の接続制御部２３１ないし第二の保存処理部２３５の機能が有効になる。なお、端末装置２Ａ自身の近距離通信装置２０ｉがオフであれば、オンに切り換わる。
【００５９】
非登録ユーザ５ｂおよび非登録ユーザ５ｃは、それぞれ、端末装置２Ｂおよび端末装置２Ｃに対して同様の操作を行う。すると、端末装置２Ｂおよび端末装置２Ｃにおいて、処理のモードがゲストモードに切り換わり、第三の接続制御部２３１ないし第二の保存処理部２３５の機能が有効になる。さらに、近距離通信装置２０ｉがオフであれば、オンに切り換わる。
【００６０】
端末装置２Ｒにおいて、第一の接続制御部２０１は、他の端末装置２との接続の処理を次のように実行する。仲介モードへの切換えの後、図８（Ａ）のようなペアリング用画面６０をタッチパネルディスプレイ２０ｅに表示させる。ここで、登録ユーザ５ｒが追加ボタン６０２をタッチすると、第一の接続制御部２０１は、他の端末装置２の検知を近距離通信装置２０ｉに開始させる。他の端末装置２が近距離通信装置２０ｉによって検知されたら、当該他の端末装置２に対してペアリングを要求する（＃５２２）。例えば、端末装置２Ａが検知されたら、端末装置２Ａに対してペアリングを要求する。
【００６１】
端末装置２Ａにおいて、第三の接続制御部２３１は、ゲストモードへの切換えの後、ペアリングの要求を端末装置２Ｒから受け付けると（＃５５２）、この要求に応答する（＃５５３）。
【００６２】
端末装置２Ｒの第一の接続制御部２０１が端末装置２Ａからの応答を受信する（＃５２３）。そして、端末装置２Ｒの第一の接続制御部２０１および端末装置２Ａの第三の接続制御部２３１は、両端末装置２同士のペアリングを行い、両端末装置２同士の接続を完了させる。
【００６３】
さらに、端末装置２Ｒおよび端末装置２Ａは、近距離無線通信によって、次のように情報のやり取りを行う。
【００６４】
端末装置２Ｒの個体識別情報取得部２０２は、後述する個体識別情報などを端末装置２Ａから次のように取得する。
【００６５】
個体識別情報取得部２０２は、端末装置２Ａに対して個体識別情報を要求する（＃５２４）。
【００６６】
端末装置２Ａの入力受付部２３２は、要求を受信すると（＃５５４）、図９に示すような入力用画面６１をタッチパネルディスプレイ２０ｅに表示させる（＃５５５）。
【００６７】
入力用画面６１には、ステータスおよびＩＰアドレスが予め示される。この「ステータス」は、ドキュメントのデータを取得することができるか否かのステータスである。端末装置２Ｒとペアリングされていれば、取得することができるので、「開示可能」という値がステータスとして示される。ペアリングされていなければ、取得することができないので、「開示不能」という値がステータスとして示される。
【００６８】
一方、この「ＩＰアドレス」は、端末装置２Ａ自身のＩＰアドレスであって、画像形成装置１が端末装置２Ａを識別するための情報として用いられる。これが、個体識別情報である。
【００６９】
非登録ユーザ５ａは、入力用画面６１に次の情報を入力する。保存場所をテキストボックス６１１に入力する。この保存場所は、ドキュメントのデータを保存する領域である。例えば、保存場所とするフォルダのフォルダ名を入力する。暗号キーをテキストボックス６１２に入力する。この暗号キーは、ドキュメントのデータの正当性を確認するために用いられる文字列である。非登録ユーザ５ａは、これらの情報を入力したら、要求ボタン６１３をタッチする。
【００７０】
すると、個体識別情報通知部２３３は、入力された保存場所およびＩＰアドレスを受け付け（＃５５６）、非登録ユーザ５ａのユーザ名、端末装置２ＡのＩＰアドレスならびに入力された保存場所および暗号キーを示す個体識別情報７１を端末装置２Ｒへ送信する（＃５５７）。これにより、端末装置２Ｒへ端末装置２Ａの個体識別情報などが通知される。
【００７１】
そして、端末装置２Ｒにおいて、個体識別情報取得部２０２は、個体識別情報７１を受信する（＃５２５）。
【００７２】
個体識別情報７１の受渡しが完了したら、端末装置２Ｒと端末装置２Ａとの接続が切断される（＃５２６）。端末装置２Ｒは、引き続き近距離通信装置２０ｉをオンのままにしておく。端末装置２Ａは、近距離通信装置２０ｉをオフに切り換えてもよい。
【００７３】
さらに、登録ユーザ５ｒは、端末装置２Ｂおよび端末装置２Ｃそれぞれの個体識別情報７１を取得するために、追加ボタン６０２（図９参照）をタッチする。
【００７４】
すると、端末装置２Ｒの第一の接続制御部２０１および個体識別情報取得部２０２は、端末装置２Ｂおよび端末装置２Ｃのそれぞれを相手にステップ＃５２２〜＃５２６の処理を行う。端末装置２Ｂおよび端末装置２Ｃは、端末装置２Ｒを相手にステップ＃５５２〜＃５５７の処理を行う。
【００７５】
これにより、端末装置２Ｂおよび端末装置２Ｃそれぞれの個体識別情報７１が端末装置２Ｒへ与えられる。そして、ペアリング用画面６０には、図８（Ｂ）のように、端末装置２Ａ〜２Ｃそれぞれの個体識別情報７１が示される。ユーザは、終了ボタン６０３をタッチしてペアリング用画面６０を閉じる。
【００７６】
登録ユーザ５ｒは、画像形成装置１の傍へ移動し、ドキュメント管理プログラム１０Ｐを画像形成装置１に起動させる。
【００７７】
端末装置２Ｒにおいて、第二の接続制御部２０３は、ペアリング用画面６０が閉じられた後、画像形成装置１が近距離通信装置２０ｉによって検知されたら、画像形成装置１に対してペアリングを要求する（＃５２７）。
【００７８】
画像形成装置１において、接続制御部１０１は、ペアリングの要求を端末装置２Ｒから受け付けると（＃５０１）、この要求に応答する（＃５０２）。なお、接続制御部１０１は、近距離通信装置１０ｉがオフであれば、ドキュメント管理プログラム１０Ｐの起動後にオンに切り換えておく。
【００７９】
そして、端末装置２Ｒの第二の接続制御部２０３および画像形成装置１の接続制御部１０１は、両装置同士のペアリングを行い、両装置を接続する。
【００８０】
端末装置２Ｒおよび画像形成装置１は、近距離無線通信によって、次のように情報のやり取りを行う。
【００８１】
端末装置２Ｒの個体識別情報転送部２０４および画像形成装置１の個体識別情報受付部１０２は、個体識別情報７１を次のように受渡しする。
【００８２】
個体識別情報転送部２０４は、個体識別情報７１、７２の入力を開始するように画像形成装置１へ要求する（＃５２９）。個体識別情報受付部１０２は、要求を受け付けると（＃５０３）、個体識別情報７１が送信されてくるのを待つ。
【００８３】
個体識別情報転送部２０４は、個体識別情報７１を画像形成装置１へ転送（送信）する（＃５３０）。
【００８４】
個体識別情報受付部１０２は、個体識別情報７１を受信すると、個体識別情報記憶部１０３に一時的に保存する（＃５０４）。そして、保存が完了した旨を端末装置２Ｒへ通知する（図７の＃５０５）。
【００８５】
個体識別情報転送部２０４は、保存が完了した旨を受け付けると（＃５３１）、未だ転送していない個体識別情報７１があれば、ステップ＃５３０に戻って、その個体識別情報７１を画像形成装置１へ転送する。
【００８６】
本実施形態では、端末装置２Ａ〜２Ｃのそれぞれから個体識別情報７１を取得しているので、個体識別情報転送部２０４は、３回、ステップ＃５３０の処理を実行する。また、これに伴い、個体識別情報受付部１０２は、３回、ステップ＃５０３〜＃５０５の処理を実行する。
【００８７】
さらに、個体識別情報転送部２０４は、自らのＩＰアドレスを示す個体識別情報７２を画像形成装置１へ送信する（図７の＃５３２）。
【００８８】
個体識別情報受付部１０２は、個体識別情報７２を受信すると、個体識別情報記憶部１０３に一時的に保存する（＃５０６）。保存が完了した旨を端末装置２Ｒへ通知する（＃５０７）。
【００８９】
個体識別情報転送部２０４は、画像形成装置１からの通知に基づいて、個体識別情報７１および個体識別情報７２がすべて画像形成装置１に保存されたことが分かる。すると、個体識別情報転送部２０４は、個体識別情報７１および個体識別情報７２の送信が完了した旨を画像形成装置１へ通知する（＃５３４）。
【００９０】
画像形成装置１において、ドキュメント選択受付部１０４は、送信の完了の通知を受信すると（＃５０８）、送信の対象であるドキュメントの選択を受け付ける処理を次のように実行する。
【００９１】
ドキュメント選択受付部１０４は、ドキュメントを選択するように端末装置２Ｒへ要求する（＃５０９）。この際に、個体識別情報記憶部１０３に記憶されている個体識別情報７１および個体識別情報７２と、ボックスおよびそれに記憶されているデータを示すドキュメント情報７３を端末装置２Ｒへ送信する。
【００９２】
端末装置２Ｒにおいて、選択受付部２０５は、画像形成装置１からの要求を受け付けると（＃５３５）、図１０の送信要求画面６２および図１１の選択用画面６３を順次表示させ（＃５３６）、ドキュメントの選択を受け付ける（＃５３７）。
【００９３】
具体的には、選択受付部２０５は、送信要求画面６２をタッチパネルディスプレイ２０ｅに表示させる。送信要求画面６２には、個体識別情報リスト６２１、ボックスボタン６２２、および送信ボタン６２３などが配置されている。
【００９４】
個体識別情報リスト６２１には、要求とともに受信した個体識別情報７１および個体識別情報７２の内容が示される。
【００９５】
登録ユーザ５ｒがボックスボタン６２２をタッチすると、選択受付部２０５は、選択用画面６３を表示させる。選択用画面６３には、要求とともに受信したドキュメント情報７３に基づいて、ボックスおよびそれに記憶されているデータが示される。さらに、データごとに、それを選択するためのチェックボックス６３１が配置される。
【００９６】
ここで、登録ユーザ５ｒは、非登録ユーザ５ａ〜５ｃへ提供するドキュメントのデータを、それに対応するチェックボックス６３１をタッチすることによって選択する。そして、完了ボタン６３２をタッチする。すると、選択受付部２０５は、選択を受け付ける。
【００９７】
選択結果通知部２０６は、選択されたデータの識別子（例えば、ファイル名）およびそれが記憶されているボックスの識別子（例えば、ボックス名）を示す選択情報７４を画像形成装置１へ送信する（＃５３８）。これにより、選択の結果が画像形成装置１へ通知される。
【００９８】
そして、画像形成装置１において、ドキュメント選択受付部１０４は、選択情報７４を受信する（＃５１０）。
【００９９】
なお、送信要求画面６２および選択用画面６３を、端末装置２Ｒのタッチパネルディスプレイ２０ｅの代わりに画像形成装置１のタッチパネルディスプレイ１０ｅに表示させ、タッチパネルディスプレイ１０ｅにおいてドキュメントの選択を登録ユーザ５ｒに行わせてもよい。
【０１００】
送信対象設定部１０５は、各端末装置２へ送信する対象を次のように設定する（＃５１１）。
【０１０１】
送信対象設定部１０５は、選択情報７４に示されるデータを、選択情報７４に示されるボックスから読み出す。以下、このデータを「提供用データ７５」と記載する。さらに、個体識別情報記憶部１０３から個体識別情報７１を読み出す。この個体識別情報７１に示される暗号キーおよび保存場所を示す添付データ７６を生成する。そして、この提供用データ７５およびこの添付データ７６を、この個体識別情報７１に示されるＩＰアドレスの端末装置２への送信の対象に設定する。さらに、個体識別情報記憶部１０３から個体識別情報７２を読み出す。この個体識別情報７２に示される保存場所を示す添付データ７７を生成する。そして、この提供用データ７５およびこの添付データ７７を、この個体識別情報７２に示されるＩＰアドレスの端末装置２への送信の対象に設定する。
【０１０２】
個体識別情報７１が個体識別情報記憶部１０３に複数記憶されている場合は、送信対象設定部１０５は、それぞれについて、上述の処理を行う。本実施形態では、３つの個体識別情報７１が記憶されているので、提供用データ７５および添付データ７６の組合せが３組、設定される。
【０１０３】
ドキュメント送信処理部１０６は、各端末装置２へ、送信対象設定部１０５によって各端末装置２のために設定された対象を送信する（＃５１２、＃５１４）。
【０１０４】
本実施形態では、ドキュメント送信処理部１０６は、提供用データ７５および添付データ７７を端末装置２Ｒへ送信する（＃５１２）。さらに、端末装置２Ａ〜２Ｃへ、提供用データ７５および添付データ７６を送信する（＃５１４）。送信は、いわゆるＩＰ通信によって行えばよい。例えば、ＴＣＰ（Transmission Control Protocol）またはＵＤＰ（User Datagram Protocol）によって行えばよい。
【０１０５】
端末装置２Ａ〜２Ｃ、２Ｒのそれぞれへ送信される提供用データ７５は、同じものである。しかし、端末装置２Ａ〜２Ｃのそれぞれへ送信される添付データ７６の内容は、相違する。上述の処理によると、端末装置２Ａへの添付データ７６には、非登録ユーザ５ａが入力した暗号キーおよび保存場所が示され、端末装置２Ｂへの添付データ７６には、非登録ユーザ５ｂが入力した暗号キーおよび保存場所が示され、端末装置２Ｃへの添付データ７６には、非登録ユーザ５ｃが入力した暗号キーおよび保存場所が示される。
【０１０６】
端末装置２Ｒにおいて、第一の保存処理部２０７は、画像形成装置１から提供用データ７５および添付データ７７を受信すると（＃５３９）、添付データ７７に示される保存場所に提供用データ７５を記憶させる（＃５４０）。
【０１０７】
また、端末装置２Ａにおいて、暗号キー照合部２３４は、画像形成装置１から提供用データ７５および添付データ７６を受信すると（＃５５８）、添付データ７６に示される暗号キーと、ステップ＃５５６で受け付けた暗号キーとを照合する（＃５５９）。そして、両者が一致すれば、送信元つまり画像形成装置１が正当であると認証し、提供用データ７５を、添付データ７６に示される保存場所に記憶させる（＃５６０）。なお、一致しない場合は、添付データ７６を破棄すればよい。
【０１０８】
画像形成装置１において、送信が完了したら、個体識別情報記憶部１０３に記憶されている個体識別情報７１、７２および設定した提供用データ７５、添付データ７６、７７が消去（削除）される（＃５１３、＃５１５）。
【０１０９】
なお、端末装置２Ｒ、２Ａ〜２Ｃは、提供用データ７５の保存に成功した場合は、その旨のメッセージを表示してもよい。また、失敗した場合も、その旨のメッセージを表示してもよい。
【０１１０】
図１２は、画像形成装置１の全体的な処理の流れの例を説明するフローチャートである。図１３および図１４は、端末装置２の全体的な処理の流れの例を説明するフローチャートである。
【０１１１】
次に、画像形成装置１および端末装置２の全体的な処理を、フローチャートを参照しながら説明する。
【０１１２】
画像形成装置１は、ドキュメント管理プログラム１０Ｐに基づいて、図１２に示す手順で処理を実行する。
【０１１３】
画像形成装置１は、端末装置２からペアリングの要求を受信すると（図１２の＃８０１）、ペアリングの処理を行い、端末装置２との接続を確立する（＃８０２）。
【０１１４】
画像形成装置１は、ペアリングした端末装置２から入力の開始の要求を受信すると（＃８０３でＹｅｓ）、個体識別情報７１または個体識別情報７２が送信されてくるのを待つ。個体識別情報７１または個体識別情報７２を受信すると（＃８０４）、これを一時的に保存する（＃８０５）。
【０１１５】
個体識別情報７２つまり登録ユーザの端末装置２のＩＰアドレスなどを受信した場合は（＃８０６でＹｅｓ）、画像形成装置１は、この端末装置２への送信の対象の一部として、この端末装置２におけるドキュメントのデータの保存場所を示す添付データ７７を設定する（＃８０７）。
【０１１６】
一方、個体識別情報７１つまり非登録ユーザの端末装置２のＩＰアドレスなどを受信した場合は（＃８０６でＮｏ）、画像形成装置１は、この端末装置２への送信の対象の一部として、この端末装置２の暗号キーおよびこの端末装置２におけるドキュメントのデータの保存場所を示す添付データ７６を設定する（＃８０８）。
【０１１７】
画像形成装置１は、送信の完了の通知を端末装置２から受信するまで（＃８０９でＮｏ）、個体識別情報７１または個体識別情報７２を受信するごとに、ステップ＃８０４〜＃８０８の処理を適宜、実行する。
【０１１８】
送信の完了の通知を端末装置２から受信すると（＃８０９でＹｅｓ）、画像形成装置１は、送信するドキュメントのデータを選択するように端末装置２に対して要求する（＃８１０）。この際に、ドキュメント情報７３などを端末装置２に与える。そして、選択の結果（選択情報７４）を受信すると（＃８１１）、これに示されるドキュメントのデータをボックスから読み出し、このデータを提供用データ７５として、各端末装置２への送信の対象として加える（＃８１２）。
【０１１９】
なお、ステップ＃８０７、＃８０８の処理を、すべての個体識別情報７１および個体識別情報７２を受信した後に、纏めて実行してもよい。例えば、ステップ＃８１１で選択情報７４を受信した後に行ってもよい。
【０１２０】
そして、画像形成装置１は、端末装置２へ、それぞれへの送信対象として設定したデータを送信する（＃８１３）。送信先は、個体識別情報７１または個体識別情報７２に示されている。
【０１２１】
送信後、画像形成装置１は、個体識別情報７１、個体識別情報７２、提供用データ７５、添付データ７６、および添付データ７７を消去（削除）する（＃８１４）。
【０１２２】
端末装置２は、ドキュメント取得プログラム２０Ｐに基づいて、図１３〜図１４に示す手順で処理を実行する。
【０１２３】
端末装置２は、モードの指定を受け付ける（＃８２１）。仲介モードが指定された場合は（＃８２２でＹｅｓ）、仲介モードに切り換え、ステップ＃８２３〜＃８３９の処理を実行する。
【０１２４】
端末装置２は、ペアリング用画面６０（図８参照）を表示する（＃８２３）。近距離通信装置２０ｉがオフであれば、オンに切り換えておく。
【０１２５】
ユーザが追加ボタン６０２をタッチすると（＃８２４でＹｅｓ）、端末装置２は、他の端末装置２の検知を試み、検知できた他の端末装置２から未だ個体識別情報７１を取得していない場合は（＃８２５でＹｅｓ）、当該他の端末装置２とのペアリングを行う（＃８２６）。
【０１２６】
端末装置２は、当該他の端末装置２へ個体識別情報７１を要求し、取得する（＃８２７）。そして、この個体識別情報７１の内容が追加されるようにペアリング用画面６０を更新する（＃８２８）。
【０１２７】
ユーザが追加ボタン６０２をタッチするごとに、端末装置２は、ステップ＃８２５〜＃８２８の処理を適宜、実行する。これにより、複数の他の端末装置２それぞれの個体識別情報７１が取得される。
【０１２８】
ユーザが終了ボタン６０３をタッチすると（＃８２４でＮｏ）、端末装置２は、画像形成装置１の検知を試みる。そして、画像形成装置１を検知すると、画像形成装置１とのペアリングを行う（＃８２９）。
【０１２９】
ペアリングの後、端末装置２は、個体識別情報７１、７２の入力を開始するように画像形成装置１へ要求する（＃８３０）。そして、ステップ＃８２７で取得した個体識別情報７１を画像形成装置１へ転送し、自らの個体識別情報７２を画像形成装置１へ送信する（＃８３１）。
【０１３０】
個体識別情報７１および個体識別情報７２をすべて転送（送信）したら（＃８３２でＹｅｓ）、端末装置２は、転送の完了を画像形成装置１へ通知する（＃８３３）。
【０１３１】
端末装置２は、ドキュメントの選択の要求を受け付けると（＃８３４）、送信要求画面６２（図１０参照）および選択用画面６３（図１１参照）を順次表示し（＃８３５）、ユーザによる選択を受け付ける（＃８３６）。そして、選択の結果（選択情報７４）を画像形成装置１へ送信する（＃８３７）。なお、以降、他の端末装置２から受信した個体識別情報７１は不要なので、これらを削除（消去）してもよい。
【０１３２】
そして、端末装置２は、提供用データ７５および添付データ７７を受信すると（＃８３８）、添付データ７７に示される保存場所に提供用データ７５を保存し（＃８３９）、ドキュメントの取得に成功した旨のメッセージを表示する（＃８４０）。
【０１３３】
一方、ゲストモードが指定された場合は（＃８２２でＮｏ）、端末装置２は、ゲストモードに切り換え、図１４のステップ＃８４１〜＃８５１の処理を実行する。なお、近距離通信装置２０ｉがオフであれば、オンに切り換えておく。
【０１３４】
端末装置２は、他の端末装置２からペアリングを要求されると、当該他の端末装置２とのペアリングを行う（＃８４１）。さらに、個体識別情報７１を要求されると（＃８４２）、入力用画面６１（図９参照）を表示する（＃８４３）。そして、暗号キーおよび保存場所の入力を受け付け（＃８４４）、入力された内容および端末装置２自身のＩＰアドレスなどを示す個体識別情報７１を当該他の端末装置２へ送信する（＃８４５）。
【０１３５】
その後、端末装置２は、画像形成装置１から提供用データ７５および添付データ７６を受信すると（＃８４６）、ステップ＃８４４で受け付けた暗号キーと添付データ７６に示される暗号キーとを照合する（＃８４７）。そして、両者が一致すれば（＃８４８でＹｅｓ）、添付データ７６に示される保存場所に提供用データ７５を保存し（＃８４９）、ドキュメントの取得に成功した旨のメッセージを表示する（＃８５０）。両者が一致しなければ（＃８４８でＮｏ）、提供用データ７５を保存せず、ドキュメントの取得に失敗した旨のメッセージを表示する（＃８５１）。
【０１３６】
本実施形態によると、セキュリティを低下させることなく、かつ、アカウントを画像形成装置１へ登録することなく、データの提供を行うことができる。特に、部外者であるユーザの端末装置２へのデータの提供を、セキュリティを低下させることなく容易に行うことができる。
【０１３７】
また、本実施形態によると、ＵＳＢ（Universal Serial Bus）メモリなどの可搬型の記録媒体を使用しないので、ウィルスへの感染およびスパイウェアによる情報漏洩の防止を図ることができる。
【０１３８】
図１５は、ホーム画面６５の例を示す図である。端末装置２Ｒは、ドキュメントのデータを登録ユーザ５ｒが選択した後、ドキュメント取得プログラム２０Ｐをバックグラウンドで実行してもよい。同様に、端末装置２Ａ〜端末装置２Ｃは、暗号キーおよび保存場所を非登録ユーザ５ａ〜５ｃが入力した後、ドキュメント取得プログラム２０Ｐをバックグラウンドで実行してもよい。これらの場合は、ドキュメントのデータの保存が成功したら、その旨のメッセージとして、図１５のように、ホーム画面６５に配置されるアイコンのうちのドキュメント取得プログラム２０Ｐに対応するアイコンにマーク６５１を付せばよい。
【０１３９】
本実施形態では、端末装置２の識別子としてＩＰアドレスを使用したが、電子メールアドレスを使用してもよい。この場合は、画像形成装置１は、提供用データ７５および添付データ７６、７７を、それらを添付した電子メールをその電子メールアドレスに宛てて送信することによって端末装置２へ送信すればよい。近距離無線通信を使用しないその他の方法であってもよい。
【０１４０】
本実施形態では、ドキュメントのデータを提供用データ７５として端末装置２へ提供したが、音声のデータまたは動画像のデータなどを提供してもよい。
【０１４１】
本実施形態では、画像形成装置１は、非登録ユーザの端末装置２だけでなく登録ユーザの端末装置２へも提供用データ７５を送信したが、非登録ユーザの端末装置２だけに提供用データ７５を送信してもよい。
【０１４２】
本実施形態では、端末装置２は、ユーザが入力した暗号キーと画像形成装置１から受信した添付データ７６に示される暗号キーとを照合し、両者が一致した場合に、提供用データ７５を保存した。しかし、次のように処理を行ってもよい。
【０１４３】
画像形成装置１は、提供用データ７５を、暗号キーを用いて暗号化して端末装置２へ送信する。端末装置２は、受信した提供用データ７５を、ユーザが入力した暗号キーを用いて復号する。復号することができれば、提供用データ７５を保存する。復号することができなければ、提供用データ７５を破棄する。
【０１４４】
その他、ドキュメント閲覧システム４、画像形成装置１、端末装置２の全体または各部の構成、処理内容、処理順序、データの構成、画面の構成などは、本発明の趣旨に沿って適宜変更することができる。
【符号の説明】
【０１４５】
４  ドキュメント閲覧システム（データ提供システム）
１  画像形成装置（サーバ）
１０６  ドキュメント送信処理部（送信手段）
１０ｄ  補助記憶装置（記憶手段）
１０ｊ  スキャンユニット（読取手段）
２Ｒ  端末装置（第一の端末装置）
２Ａ〜２Ｃ  端末装置（第二の端末装置）
２０２  個体識別情報取得部（受信手段）
２０４  個体識別情報転送部（通知手段）
【図１】
2016189150.tif 000003
【図２】
2016189150.tif 000004
【図３】
2016189150.tif 000005
【図４】
2016189150.tif 000006
【図５】
2016189150.tif 000007
【図６】
2016189150.tif 000008
【図７】
2016189150.tif 000009
【図８】
2016189150.tif 000010
【図９】
2016189150.tif 000011
【図１０】
2016189150.tif 000012
【図１１】
2016189150.tif 000013
【図１２】
2016189150.tif 000014
【図１３】
2016189150.tif 000015
【図１４】
2016189150.tif 000016
【図１５】
2016189150.tif 000017